(57)【特許請求の範囲】
【請求項１】
ガスを燃焼するバーナーと、燃焼により発生した排ガスと外部より取り込んだ空気とを混合する燃焼室と、温風を送り出すための対流用ファンと、温風を吹出す温風吹出口と、燃焼用の空気を取り込む対流用フィルターとで構成された温風暖房部と、前記温風暖房部よりも上部で且つ仕切り板で分離された空気清浄部とから成り、前記空気清浄部はほこりや臭いを除去するためのフィルターと、外気を取り入れ送風する空気清浄用ファンと、この空気清浄用ファンのファン吸込口とフィルターを連結するダクトと、前記フィルターを覆い取り外しが可能なグリルと、前記フィルターを介さず前記グリルの開口部に連通する風路と、前記風路で且つ前記開口部の近傍に設けられた温度検出器と、所定の温度になれば燃焼をとめる制御装置とを備えた空気清浄機付温風暖房装置。
【請求項２】
温風暖房部の運転時に、空気清浄用ファンを微弱回転する請求項１記載の空気清浄機付温風暖房装置。
【請求項３】
温風吹出口側とは反対側の仕切り板の一部を切り欠き、グリルと燃焼用空気の取り入れ部を、ダクトと前記仕切り板の間で連通させた請求項１記載の空気清浄機付温風暖房装置。
【発明の詳細な説明】
【０００１】
【発明の属する技術分野】
本発明は空気清浄機を付けた温風暖房装置の構成に関するものである。
【０００２】
【従来の技術】
従来の空気清浄機付の温風暖房装置を図３に示す。図において、バーナー１にて供給されたガスの燃焼を行う。燃焼により発生した排ガスと空気を混合する燃焼室２がある。バーナー１の下方には温風３を送出すための対流ファン４を設けている。対流ファン４の前方には温風吹出口５が取りつけられている。ケース６の後面には対流用空気７を取り入れるための対流用フィルター８がある。その内側にはほこりや臭いを除去するための空気清浄用フィルター９を取り付けている。空気清浄用フィルター９は、臭いを吸着する活性炭等からなる脱臭部と、ほこりの粒子を取る綿状あるいは粒状の集塵部からなる。
【０００３】
次にその動作について説明する。バーナー１でガスを燃焼させ、発生する高温の燃焼排ガス１０と、燃焼室２の燃焼風路１１内で対流用フィルター８と空気清浄用フィルター９を通過した対流用空気７ａが混合される。混合された温風は、対流用ファン４によって前面下部の温風吹出口５から温風３となって送出され、暖房を行う。
【０００４】
また、空気中に含まれるたばこの粒子やほこりは、空気清浄用フィルター９を通過する際に、綿状または粒状になっている集塵部に付着する。細かい粒子は、この綿状粒状の集塵部が細かく、しかも通過する距離が長いほど付着される。臭いは、活性炭等で構成されている脱臭部に吸着することにより脱臭される。
【０００５】
【発明が解決しようとする課題】
ほこりの集塵率と臭気の除去率を向上させるためには、空気清浄用フィルターの目を細かくし、しかも厚さを厚くして空気と接触する面積をふやす必要がある。しかしながら上記のような風路構成では、前記のような空気清浄用フィルターを取りつけると抵抗が大きく圧損が増え、対流用空気が減って、温風温度が上昇してしまう。そのため、集塵性能が高く目の細かい空気清浄用フィルターを取り付けることができず、集塵性能が低くなり、ほこりや臭いを迅速に取ることができない。
【０００６】
また温風温度を下げるためには対流用ファンの回転数を上げる必要があり、そうすると騒音が上昇してしまう。
【０００７】
さらに、暖房運転時には、対流用ファンにより温風を温風吹出口一か所より吹き出して暖房しているため、天井付近ほど室温が高くなってしまい、なかなか室温が均一にならない。
【０００８】
また、温風暖房機に本格的なフィルター方式の空気清浄機を搭載すると、樹脂部品で構成されている空気清浄部が温風暖房機の温風により、異常使用時に変形することがある。
【０００９】
【課題を解決するための手段】
本発明は上記課題を解決するために、対流用ファンを運転させ、燃焼することにより発生した温風を送り出して暖房する温風暖房部の上部に、空気清浄用ファンと空気清浄用フィルター等で構成された空気清浄部を設けた構成になっている。しかもグリルの内側で、グリル開口部の近傍に設けられた温度検出器を備えている。これによって圧損に対しても強く、大きな風量を得ることができ、ほこりや臭いを十分に取る集塵効率が高く目の細かい表面積の大きい空気清浄用フィルターを取り付けることが可能になり、集塵効率・臭気除去率が向上する。よって迅速に臭いやほこりを除去できる。
【００１０】
さらに、グリルの内側でしかもグリル開口部の近傍に設けられた温度検出器を備えているため、温風吹き出し口の近傍に障害物が置かれた場合に、温風が空気清浄部の空気清浄用ファンにより吸い込まれようとしたらその温度を検出して運転を停止させ、樹脂部品の変形を防止する。
【００１１】
また、暖房運転中に上部に設けられた空気清浄用ファンを運転することにより、天井付近にある温度の高い空気を攪拌して、室内の空気の温度を均一にすることが可能である。
【００１２】
【発明の実施の形態】
本発明は、ガスを燃焼するバーナーと、燃焼により発生した排ガスと外部より取り込んだ空気を混合する燃焼室と、温風を送出するための対流用ファンとその温風吹き出口と、燃焼用空気を取り込むフィルター部で構成された温風暖房部と、前記温風暖房部よりも上部で且つ仕切り板で分離された空気清浄部において、ほこりや臭いを除去するためのフィルターと、外気を取り入れ送風する空気清浄用ファンと、空気清浄用ファン吸込み口とフィルターを連結するダクトと、フィルターを覆いフィルター交換時には使用者が取り外すグリルと、ダクトの一部にフィルターを介さずにグリルの開口部に連通する風路を備え、該風路中で且つ前記切り板の上方に位置し、しかもグリル開口部の近傍に設けられた温度検出器を備えたものである。
【００１３】
これによれば風路の圧損に対して強いため、抵抗の大きな効率の高い空気清浄用フィルターを装着でき、集塵効率を上げることができる。さらにグリルの内側でしかもグリル開口部の近傍に設けられた温度検出器を備えているため、温風吹き出し口の近傍に障害物が置かれた場合に、温風が空気清浄部の空気清浄用ファンにより吸い込まれようとしたらその温度を検出して運転を停止させ、樹脂部品の変形、機能部品の故障を防止する。
【００１４】
請求項２記載に係る発明は温風暖房部の運転時に、空気清浄用ファンを微弱回転させるようにしたものである。そして温風吹き出し口の近傍に障害物が置かれた場合に、素早く温風の温度を検出することができ、樹脂部品の変形、機能部品の故障を防止する。
【００１５】
請求項３記載に係る発明は、温風吹出口側とは反対側に面する仕切り板の一部を切り欠き、グリルと燃焼用空気の取り入れ部を、ダクトと仕切り板との間で連通させた構成である。これによって、空気清浄部が運転していない時でも、温風吹き出し口の近傍に障害物が置かれた場合に、温風暖房部の対流用ファンの吸引により早期に温風の温度を検出でき、異常時に樹脂部品の変形、機能部品の故障を防止することができる。
【００１６】
【実施例】
以下、本発明の実施例について図面に基づいて説明する。
【００１７】
（実施例１）
図１は本発明の実施例における空気清浄機付のガス温風暖房装置の断面図を示すものである。図１において，温風暖房部は従来例と同一であり説明は省略する。温風暖房部の上部に仕切り板２４で分離された空気清浄部を配設している。なお、２０はグリルであり、ここのグリル吸込口  １２から、空気を吸い込む。また、１３はほこりや臭いを除去するためのフィルターであり、においを吸着する活性炭等からなる脱臭部と、ほこりの粒子を取る綿状あるいは粒状の集塵部からなり、グリル吸込口１２の内側に取り付けられる。１４は清浄された空気の吹出口であり、その下部には、空気清浄用ファン１５が空気清浄風路１７の中に取り付けられる。１８はダクトで、フィルター１３と空気清浄用ファン１５のファン吸込口１９が連結され、隙間なく接続されている。そしてこれらの空気清浄用ファン１５、ファン吸込口１９、ダクト１８は樹脂等で成形されている。
【００１８】
フィルター１３は、長時間使用すると脱臭性能または集塵性能が低下するため、１年程度で交換する必要がある。グリル２０は、フィルター１３を覆いフィルター１３の交換時には使用者が取り外す。これも樹脂で成形されている。グリル２０の内側のグリル開口部２１の近傍には温度検出器２２がある。この開口部２１は、フィルター１３から吸わせるためのグリル吸込口１２とは分離されている。フィルター１３から吸われた空気は、ダクト１８を通って空気清浄用ファン１５のファン吸込口１９から吸引される。
【００１９】
ダクト１８があるため、フィルター１３以外の箇所から吸われることはなく、部品の突き合わせがあってもその隙間から吸うことはない。２３は制御装置であり、温度検出器２２の検出温度が所定温度になったら温風暖房部の燃焼をとめる。空気清浄用ファン１５と、対流ファン４と、バーナー１と温度検出器２２は図の破線で電気的に接続されている。
【００２０】
次にその動作について説明する。図１において、空気清浄用ファン１５が回転して空気清浄用空気１６ａがグリル２０のグリル吸込口１２より吸い込まれ、フィルター１３でほこりやにおいが除去され、吹出口１４よりきれいになつた空気１６ｂが吹き出される。
【００２１】
温風暖房部（燃焼室２）と完全に独立し、ほこりや臭いを十分に取る目が細かく表面積の大きい空気清浄用のフィルター１３を取り付けられるため、集塵効率・臭気除去率が向上し、迅速にほこり・臭いを除去できる。この時、ダクト１８の一部にフィルター１３を介さずにグリルの開口部２１に連通する風路２５内にある温度検出器２２は正常な温度を監視している。
【００２２】
また暖房運転時に、混合された温風は、対流ファン４によって前面下部の温風吹出口５から温風３となって送出され、暖房を行う。温風３は機器の前方に吹き出されるが、温風は風速がなくなると温度が高いため、室内の高い方へと上昇する。暖房運転時に空気清浄用ファン１５を運転させることにより、天井付近にある温度の高い空気を攪拌して、室温を均一にできる。
【００２３】
温風吹き出し口５の近傍に障害物が置かれると、温風が障害物に当たりグリル２０に接近する。このとき、空気清浄用ファン１５が運転されるとこの温風が吹い込まれる。温風の温度は最高で１００°Ｋになるため、吸い込まれた温風は樹脂で構成された部品や、その他の主要部品を痛めることがある。ここで、温度検出器２２がこの温風の温度を検出して制御装置２３に伝え、ある温度以上になれば、制御装置２３が温風暖房の運転を停止して、樹脂部品の変形を防止する。温度検出器２２は、異常温度の見張り部とも言える風路２５内でしかもグリル２０のグリル開口部２１の内側に設けられているため、温風の温度を早期に検出できる特徴がある。
【００２４】
さらに、機器の上から毛布等をかぶせられた場合は、毛布の中に温風がこもり温度が急激に上昇する。このときでも温度検出器２２がこの温風の温度を検出して燃焼を提出して樹脂部品の変形を防止する。
【００２５】
（実施例２）
空気清浄部の運転をしていない場合でも、温風暖房部の運転時に、空気清浄用ファン１５を微弱回転させるようにしたものである。
機器前方に障害物があるとき、空気清浄部が運転している時は温風が吸い込まれ温風の温度を検出することができるが、空気清浄部が運転していないときには検出できない。
【００２６】
そこで、空気清浄部の運転をしていない場合でも、温風暖房部の運転をはじめると空気清浄用ファン１５を微弱回転させることにより、グリル２０の内側の開口部２１の近傍に設けてある温度検出器２２が温風の温度を検出でき、温度が高いときは燃焼を止め、温風がグリル２０に接触することによるグリル２０の変形を防止できる。
【００２７】
（実施例３）
温風吹出口側とは反対側に面する仕切り板２４の一部を切り欠き、グリル２０と燃焼用空気の取り入れ部２６を、ダクト１８と仕切り板２４の間で連通させた構成である。空気清浄用ファン１５が運転していない時でも温風吹出口５に障害物が置かれたときに、温風暖房部の対流用ファン４の吸引により温風の温度を早期に正確に検出でき、樹脂部品の変形を防止することができる。温度検出器２２をグリル２０の中心付近に設置するとその効果は高い。空気清浄用ファン１５の運転の有無にかかわらず温度を検出できる。
【００２８】
【発明の効果】
以上のように本発明によれば、温風暖房部の上部に空気清浄部を設け、しかも温度検出器をグリルの内側でしかもグリル吸い込み部の近傍に設けることにより、集塵性能の高い圧力損失の大きな空気清浄用フィルターを装着することができ、集塵性能・臭気除去性能が向上し、迅速ににおい・ほこりを除去できる。
【００２９】
さらに温風吹き出し口の近傍に障害物が置かれたり、毛布をかぶせられたとき、温風が障害物に当たりグリルに接近した際、空気清浄用ファンが運転されたときに温風が空気清浄用ファンにより吸い込まれ、温度検出器がこの温風の温度を検出して、ある温度以上になれば温風暖房の運転を停止して、樹脂部品の変形や主要部品の熱による損傷を防止する。
【００３０】
また燃焼により発生した温風を対流用ファンにより機器前方に送出する際に、空気清浄用ファンを運転して、天井付近にある温度の高い空気を攪拌させ、室温を均一化することができ、快適な暖房をすることができる。
【００３１】
また空気清浄部の運転をしていない場合でも、温風暖房部の運転をはじめると空気清浄用ファンが微弱回転し、温風吹出口に障害物が置かれたら、その温風を検出して、燃焼を止め樹脂部品の変形を防止する。さらに空気清浄用ファンも微弱回転しているので、部屋のサーキュレーション効果も期待できる。
【００３２】
また温風吹出口側とは反対側に面する仕切り板の一部を切り欠き、グリルと燃焼用空気の取り入れ部を、ダクトと仕切り板の間で連通させることで、空気清浄用ファンの運転の有無にかかわらず、温風吹出口に障害物が置かれたときに、温風暖房部の対流用ファンの吸引により温風の温度を早期に正確に検出でき、樹脂部品の変形を防止することができる。
【図面の簡単な説明】
【図１】本発明の実施例１及び実施例２における空気清浄機付温風暖房装置の断面図
【図２】本発明の実施例３における空気清浄機付温風暖房装置の断面図
【図３】従来例における空気清浄機付温風暖房装置の断面図
【符号の説明】
１  バーナー
２  燃焼室
４  対流用ファン
５  温風吹出口
１３  空気清浄用フイルター
１５  空気清浄用ファン
１８  ダクト
１９  ファン吸込口
２０  グリル
２１  グリル開口部
２２  温度検出器
２３  制御装置
２４  仕切り板
【図１】
0003861442.tif 000002
【図２】
0003861442.tif 000003
【図３】
0003861442.tif 000004